(57)【要約】 【課題】主走査の中の電源リップルの位置が同じにならないので、特定画素においてシェーディングは電源電圧の影響で大きめの出力になり、原稿読み取り時は電源電圧の影響で小さめの出力になる可能性があって、シェーディングにより電源リップルの影響を増加させるようなこともありうる。【解決手段】画像読み取りに用いる電源のスイッチング周波数を主走査の周波数の整数倍にするとともに、主走査同期信号とスイッチングのONもしくはOFFのタイミングの位相差をシェーディングと原稿の読み取りで共通に毎主走査で合わせることで、主走査内の電源リップルの電圧の高低の配置を一定にする。【選択図】図１
2017005318.tif 000002
【特許請求の範囲】
【請求項１】
主走査同期信号（図１、図７、図８の主走査同期信号）の立ち上がりもしくは立ち下がりから次の立ち上がりもしくは立ち下がりまでを１主走査区間として第１色、第２色、第３色の画像を１つの主走査区間ごとに１色づつ順に３つの主走査区間（図７、図８のＴｓｙｎｃＲ、ＴｓｙｎｃＧ、ＴｓｙｎｃＢ）を通して読みとる読み取り回路（図１、図２の５）と、スイッチング動作を行うことで交流電源もしくは直流電源から所定の電圧の直流電源を生成するスイッチング電源（図１の４）と、前記スイッチング電源の生成した直流電源を読み取り回路に電源を供給する供給経路（図１の３．３Ｖａ電源の配線）と、前記スイッチング電源のスイッチングの周波数は３つの主走査区間を１周期とする繰り返し周波数の整数倍の周波数となる（図８の主走査同期信号とＯＮタイミング信号の関係）よう制御する制御部（図１の１）を有することを特徴とする画像読取装置。
【発明の詳細な説明】
【技術分野】
【０００１】
本発明は、スイッチングすることで直流電圧の電源を出力する直流電源装置を有し、原稿上の画像を光学的に読み取って電気信号に変換するイメージスキャナ、複写機、ファクシミリ等に用いられる画像読み取りを行う装置に関する。
【背景技術】
【０００２】
光学的な画像読み取りにスイッチングレギュレータ型のＤＣ／ＤＣコンバータにより生成する直流電源を用いた場合、画像読み取りの主走査内の電源リップルの高低のタイミングは決まってなかった。そのため電源リップルの影響を画像データが受けていた。そこでスイッチングを行わないリニアレギュレータ型のＤＣ／ＤＣコンバータを用いるなどして電源リップルが発生しないようにしていた。
【０００３】
また特許文献１では光学的な画像読み取りではないが、超音波診断装置において超音波のパルス発生の繰り返し周波数に対して整数倍となるスイッチング周波数でスイッチングレギュレータ型のＤＣ／ＤＣコンバータをスイッチングさせて画像のノイズを低減させることを行っていた。スイッチングレギュレータ型のＤＣ／ＤＣコンバータを以下ではスイッチングＤＣＤＣ電源と呼ぶ。リニアレギュレータ型のＤＣ／ＤＣコンバータを以下ではリニアＤＣＤＣ電源と呼ぶ。
【先行技術文献】
【特許文献】
【０００４】
【特許文献１】特開2010-213787号公報
【発明の概要】
【発明が解決しようとする課題】
【０００５】
リニアＤＣＤＣ電源はスイッチングＤＣＤＣ電源に比べて効率が良くなく、昇温と省エネに不利である。また特許文献１のように周波数を整数倍に一致させただけでは光学的な画像読み取りにおいてはシェーディング補正のための読み取り時と、実際の原稿画像の読み取り時で、主走査の中の電源リップルの高低のタイミングが同じにならないので、特定画素においてシェーディング補正のための読み取り時は電源電圧の影響で大きめの出力になり、原稿読み取り時は電源電圧の影響で小さめの出力になる可能性があって、シェーディング補正を行うことにより余計に電源リップルの影響を増加させるようなこともありうる。
【課題を解決するための手段】
【０００６】
本発明に係る画像読取装置は、画像読取装置にて１ラインごとに発生する主走査同期信号を基準として画像読み取りをする第１回路と、スイッチング動作を行うことで交流電源もしくは直流電源から所定の電圧の直流電源を生成するスイッチング電源と、前記スイッチング電源の生成した直流電源を第１回路に電源を供給する供給経路と、前記スイッチング電源のスイッチングの周波数は前記主走査同期信号の周波数の整数倍の周波数であって主走査同期信号とスイッチングのONもしくはOFFのタイミングが所定の位相差であるように制御する制御部を設けることにより、前記スイッチング電源が生成する電源のリップルの電圧の主走査内の高低のタイミングを一定にする。
【発明の効果】
【０００７】
本発明の画像読取装置によれば、シェーディング補正のための読み取り時と原稿の画像の読み取り時にリップルの電圧の主走査内の高低のタイミングが同じになるので、それにより電源リップルも込みでシェーディング補正により補正されるので読み取った画像の質が改善される。
【図面の簡単な説明】
【０００８】
【図１】ブロック図
【図２】配置図
【図３】3.3Vd出力ＤＣＤＣ電源の内部図
【図４】3.3Va出力ＤＣＤＣ電源の内部図
【図５】白黒の画像読み取りタイミング図
【図６】白黒の読み取り時の電源スイッチングタイミング図
【図７】カラーの画像読み取りタイミング図
【図８】カラーの読み取り時の電源スイッチングタイミング図
【図９】フローチャート
【図１０】実施例２のブロック図
【図１１】実施例３のブロック図
【図１２】実施例３のフローチャート
【発明を実施するための形態】
【０００９】
［実施例1］
図１は本発明の画像読取装置の全体の電気回路のブロック図を示している。図示しない外部の商用電源から図示しない電源ケーブルを通過して２のＡＣＤＣ電源に交流の１００Ｖの電圧であるＡＣ１００Ｖの電源が入力される。ＡＣＤＣ電源は内部で直流の２４Ｖ電圧の電源である２４Ｖ電源を生成して出力する。２４Ｖ電源は３のＤＣＤＣ電源と４のＤＣＤＣ電源に入力され、ＤＣＤＣ電源３では直流の３．３Ｖ電圧の電源である３．３Ｖｄ電源を生成し出力し、ＤＣＤＣ電源４では直流の３．３Ｖ電圧の電源である３．３Ｖａ電源を生成し出力する。
【００１０】
制御部１は２４Ｖ電源と３．３Ｖｄ電源を電源入力として動作する。画像読み取り部５は３．３Ｖａ電源を電源入力として動作する。詳細は後述するがＤＣＤＣ電源４は内部でスイッチングを行っていて、そのスイッチングのＯＮのタイミングを制御部１からＯＮタイミング信号で受けている。画像読み取り部５は動作のタイミングを決める１つである主走査同期信号を制御部１から受け取っている。そして主走査同期信号の１つの周期で原稿の搬送方向と直行する読み取り画素の並びの１ラインを読み取るよう動作する。
【００１１】
読み取り画素の並びは図２を用いて後述する。画像読み取り部５は制御部１からクロック信号を受けてそれを内部動作に用いるとともにクロック信号に同期してクロック信号の１周期で画像データの１画素分を出力する。この画像データはアナログ電圧の出力であり画像が明るいほど高い電圧を出力する。その様子は図５を用いて後述する。画像データは制御部１に入力されている。他にも制御部１と画像読み取り部の間には信号のやりとりがあるが説明は省略する。６は原稿搬送モータで原稿を画像読み取り部に対して移動搬送させるための動力源である。制御部１からのモータ駆動信号に基づいて動作している。
【００１２】
図２は本発明の画像読取装置の全体の配置図である。図２の上側が断面図で、下側が上から見た図である。画像読み取り部５は、図１のものと同じである。画像読み取り部５はその上側に検知する部分があり画像読み取り部５の上にある画像を読み取ることができる。上には原稿１５があって原稿を読み取ることができる。上から見た図で画像読み取り部５の破線の直線で示した読み取り画素の並び１７に位置する原稿の主走査１ラインの画像が画像読み取り部５により読み取られる。
【００１３】
読み取り画素の並び１７には画素を５５００個含んでいて、上から見た図の１８が１画素目の位置で、１９が５５００画素目の位置である。１インチの長さの中に６００個の画素がある。原稿１５は図の左から右に移動するので画像読取部５は原稿の全体を読み取ることができる。後述する６００ｄｐｉの白黒の読み取りのときは原稿１５が１インチの長さ搬送される間に等間隔に６００回の読み取りが行われる。この１回の読み取りが１つの主走査の読み取りである。原稿１５は搬送ローラ７、８、９、１０により搬送されている。
【００１４】
搬送ローラ７、８、９、１０は図１で示した原稿搬送モータ６により回転される。原稿１５が無いときもありそのときは上に配置された白色の白色板１６を読み取ることができる。この白色板１６は均一な白色で出来ている。この白色板１６を画像読み取り部５で読み取って画素の並び１７の中の複数の画素の画像データに差があるとそれが均一になるように補正を行う。これを以後はシェーディング補正と呼ぶ。画素ごとに画像データに差があるのは画像読み取り部５の画素ごとの検知もしくは出力ばらつきである。
【００１５】
そのばらつきとしては画像読み取り部５の単体の特性としてばらつきもあるし、画像読み取り部５に入力される３．３Ｖａ電源の電圧変動に起因するばらつきもある。１１、１２、１３、１４は搬送ガイドであり、これらが原稿が原稿読み取り部５を通過するときの動きを安定化させる。
【００１６】
図３は図１で示したＤＣＤＣ電源３の内部を示している。図１で説明したように２４Ｖ電源を入力として３．３Ｖｄ電源を出力しており、２０がＦＥＴで、２１がダイオード、２２がコイル、２３がコンデンサでＦＥＴ２０が適度にＯＮとＯＦＦしてコイル２２とダイオード２１とコンデンサ２３で平滑されて３．３Ｖの電圧が３．３Ｖｄ電源として出力される。その適度にＯＮとＯＦＦするように出力の電圧を電圧フィードバック信号ＤとしてＯＮ／ＯＦＦ信号生成部２４にフィードバックしてＦＥＴのＯＮ／ＯＦＦタイミングをスイッチング信号Ｄとして生成している。
【００１７】
このように外部からでなく内部でＯＮ／ＯＦＦタイミングを決めてＦＥＴ２０のスイッチングを行っている動作を自励動作と呼ぶ。それに対して図４は図１で示したＤＣＤＣ電源４の内部を示している。図１で説明したように２４Ｖ電源を入力として３．３Ｖａ電源を出力しており、２５がＦＥＴで、２６がダイオード、２７がコイル、２８がコンデンサでＦＥＴ２５が適度にＯＮとＯＦＦしてコイル２７とダイオード２６とコンデンサ２８で平滑されて３．３Ｖの電圧が３．３Ｖａ電源として出力される。
【００１８】
ここまでは図３のＤＣＤＣ電源３の説明と同じである。その適度にＯＮとＯＦＦするように出力の電圧を電圧フィードバック信号ＡとしてＯＮ／ＯＦＦ信号生成部２９にフィードバックしてＦＥＴのＯＦＦタイミングをスイッチング信号Ａとして生成しているが、ＯＮタイミングは外部からＯＮタイミング信号を受けてそれに合わせてＯＮしている。このように外部からタイミング受けてＦＥＴ２０のスイッチングを行っている動作を他励動作と呼ぶ。前記の自励動作と他励動作の表現は実施例３でもこれを参照して用いる。
【００１９】
図５は６００ｄｐｉの読み取り解像度でカラーでなく白黒に画像を読み取るときの制御部１と画像読み取り部５の間の信号の１主走査分の時間のタイミング図である。１主走査分しか示してないのは主走査が変わっても繰り返しになるだけで同様であるからである。主走査同期信号は１主走査に一回だけＬｏｗからＨｉｇｈに立ち上がる。この立ち上りを基準のタイミングとして動作している。
【００２０】
その立ち上がりから所定の数のクロック信号の立ち上がりの後で画素の並びの１画素目の画像データが出力されて、その次のクロック信号の立ち上がりで次の画素である２画素目の画像データが出力さるという具合にクロック信号の立ち上がり１つにつき１画素の画像データが出力され５５００画素まで出力される。５５００画素が出力されてから後のクロックの立ち上がりから、次の主走査における１画素目の画像データが出力されるまでは画像データは不定となる。前述の６００ｄｐｉの読み取り解像度とは原稿の搬送方向にもそれと直行する方向にも１インチの長さにつき６００個の画素が並んだ読み取り解像度である。
【００２１】
図６はタイミング図であって、図５で説明した主走査同期信号と図４で説明したＤＣＤＣ電源４のＯＮタイミング信号とスイッチング信号Ａと３．３Ｖａ電源の電圧のリップル波形のタイミングを示している。主走査同期信号は６３μｓの周期で立ち上がりを繰り返している。ＯＮタイミング信号は主走査同期信号の立ち上がりと同じタイミングで立ち上がっている。今回は同じタイミングとしたが一定時間差を設けても同じ効果が得られる。そしてＯＮタイミング信号は２１μｓの間隔で立ち上がりを繰り返している。
【００２２】
ＯＮタイミング信号の周波数は主走査同期信号の周波数の整数倍である３倍となっている。スイッチング信号がＬｏｗレベルのときにＦＥＴ２５はＯＮするし、スイッチング信号がＨｉｇｈのときにＦＥＴはＯＦＦする。このＯＮタイミング信号の立ち上がりを受けてＯＮ／ＯＦＦ信号生成部２９が処理してスイッチング信号ＡをＯＮタイミング信号の立ち上がりに同期してスイッチング信号をＨｉｇｈからＬｏｗにする。そしてＦＥＴ２５がＯＮする。ＦＥＴ２５がＯＮすると３．３Ｖａ電源の電圧を示す３．３Ｖａ電圧リップルは電圧の上昇を開始し、決まった電圧まで上昇したのを電圧フィードバック信号ＡによりＯＮ／ＯＦＦ信号生成部２９が検知してスイッチング信号ＡをＬｏｗからＨｉｇｈにする。
【００２３】
そしてＦＥＴ２５がＯＦＦする。ＦＥＴ２５がＯＦＦしてもコイル２７に蓄積されたエネルギーでダイオード２６を通してコンデンサ２８に電流を流す期間があり、その期間は３．３Ｖａ電圧リップルは電圧の上昇を継続する。その後、３．３Ｖａ電圧リップルは電圧を下降する。ＯＮタイミングの立ち上がりがあると先と同様に動作して３．３Ｖａ電圧リップルは電圧の上昇を開始する。これを繰り返す。
【００２４】
それによって、何度も繰り返される主走査同期信号の立ち上がりから同じ時間のときの３．３Ｖａ電源の電圧はほぼ同じリップル電圧の高低のタイミングとなる。この電圧リップルの高低のタイミングと図５の主走査同期信号と画像データの画素の関係も合わせていえば、同じ番目の画素を出力するときはほぼ同じ３．３Ｖａ電源の電圧となっている。そのため３．３Ｖａ電源の変動を受けて画素ごとの画像データが高くなる画素と低くなる画素があるが、どの主走査においても高くなる画素は高くなるし、低くなる画素は低くなる。
【００２５】
これはシェーディング補正のための読み取り時も同様であるから、補正により除去されることになり、３．３Ｖａ電源の変動の影響を受けない画像データに補正されることになる。
【００２６】
図５と図６では６００ｄｐｉの白黒の画像読み取りのタイミングを説明したが、図７と図８で同様にして３００ｄｐｉのカラーの画像読み取りのタイミングを説明する。それに先立って、図２の配置図を用いて６００ｄｐｉのときの画素と３００ｄｐｉのときの画素の関係について説明する。読み取り画素の並び１７で６００ｄｐｉでは１画素目から５５００画素目まで並んでいたが、３００ｄｐｉではこの画素の奇数番目とその次の偶数番目の画素をあわせた１組を１画素として画像データを出力するように画像読み取り部５は動作する。
【００２７】
その切り替えは図１の制御部１からのその他の信号で行われる。２つの画素を合わせて用いるのでよりおよそ半分の時間で受ける光の量が足りるので６００ｄｐｉのときより３００ｄｐｉのときの方が１主走査を処理する時間は短くできる。画像データをクロックに同期して出力する都合においても出力する画像データの画素数が半分になるので１主走査は短くできる。カラーで読み取るときは３原色であるＲＥＤ（赤）とＧＲＥＥＮ（緑）とＢＬＵＥ（青）の３色を別々の主走査で読み取る。
【００２８】
つまり３色分の３つの主走査を１組として、原稿が１インチの長さ搬送される間に９００の主走査の読み取りがあって３００組の読み取りをしている。
【００２９】
図７は３００ｄｐｉの読み取り解像度でカラーに画像を読み取るときの制御部１と画像読み取り部５の間の信号の３主走査分の時間のタイミング図である。
３主走査分しか示してないのは繰り返しになるだけでどの３主走査分で見ても同様であるからである。主走査同期信号の主走査区間はＲＥＤ用、ＧＲＥＥＮ用、ＢＬＵＥ用の順で繰り返される。主走査同期信号は１主走査に一回だけＬｏｗからＨｉｇｈに立ち上がる。この立ち上りを基準のタイミングとして動作している。
【００３０】
その主走査同期信号の立ち上がりから所定の数のクロック信号の立ち上がりの後で画素の並びの１画素目の画像データが出力されて、その次のクロック信号の立ち上がりで次の画素である２画素目の画像データが出力さるという具合にクロック信号の立ち上がり１つにつき１画素の画像データが出力され２７５０画素まで出力される。２７５０画素が出力されてから後のクロックの立ち上がりから、次の主走査における１画素目の画像データが出力されるまでは画像データは不定となる。
【００３１】
図８にＲＥＤ用、ＧＲＥＥＮ用、ＢＬＵＥ用の３つの主走査区間が示してあって、電源のＯＮタイミング信号が主走査同期信号のＲＥＤ用の立ち上がりと同期していて、主走査同期信号の、ＧＲＥＥＮ用、ＢＬＵＥ用の立ち上がりとは同期してない。つまり図６のように電源のＯＮタイミング信号が全ての主走査同期信号の立ち上がりには一致していない。
【００３２】
そのためＲＥＤ用の主走査内での３．３Ｖａ電源の電圧のリップル電圧の高低のタイミングは、ＧＲＥＥＮ用の主走査内での３．３Ｖａ電源の電圧のリップル電圧の高低のタイミングとは異なっているし、さらに、ＢＬＵＥ用の主走査内での３．３Ｖａ電源の電圧のリップル電圧の高低のタイミングとも異なることになる。しかし、毎回のＲＥＤ用の主走査内での３．３Ｖａ電源の電圧のリップル電圧の高低のタイミングは同じとなるし、毎回のＧＲＥＥＮ用の主走査内での３．３Ｖａ電源の電圧のリップル電圧の高低のタイミングも同じとなるし、毎回のＢＬＵＥ用の主走査内での３．３Ｖａ電源の電圧のリップル電圧の高低のタイミングも同じとなる。
【００３３】
そのため同じ色の同じ番目の画  素では電源リップルの電圧がほぼ同じになり電源リップルの電圧の変動の影響が同じとなる。カラーの読み取りでは、シェーディング補正はＲＥＤ用、ＧＲＥＥＮ用、ＢＬＵＥ用のそれぞれで行われるので、同じ色の同じ番目の画素では電源リップルの電圧の影響が同じであるのでシェーディング補正でその影響を除去することができる。
【００３４】
図９は制御部１の処理順序を示したフロー図である。図示しない操作部をユーザーが操作して読み取りを開始の指示があると（Ｓ１０２）、図示しない操作部にて設定された読み取りのモードを判定し（Ｓ１０３、Ｓ１０４）、白黒の解像度６００ｄｐｉのときは、Ｓ１０５に進む。カラーの解像度３００ｄｐｉのときは、Ｓ１０９に進む。黒の解像度６００ｄｐｉでもカラーの解像度３００ｄｐｉでもないときはＳ１１３に進む。
【００３５】
Ｓ１０５に進んだ場合、図６で示した白黒の６００ｄｐｉ用の主走査同期信号とONタイミングを出力開始し（Ｓ１０５）、原稿の搬送開始に先立ってＳ１０５で出力開始した白黒の６００ｄｐｉ用の主走査同期信号とONタイミングにて白色板１６を読み取るシェーディング補正のための読み取りを行うとともに画素ごとの補正値を求める（Ｓ１０６）。
【００３６】
続いて白黒の６００ｄｐｉ用の速度で原稿搬送するよう原稿搬送モータ６を適切な速度で動作させる（Ｓ１０７）。そして原稿が画像読み取り部５を通過する際にシェーディング補正のための読み取り時と同様にＳ１０５で出力開始した白黒の６００ｄｐｉ用の主走査同期信号とONタイミングにて原稿画像の読み取りを行うとともにＳ１０６で求めた補正値で補正する（Ｓ１０８）。
【００３７】
Ｓ１０９に進んだ場合、図８で示したカラーの３００ｄｐｉ用の主走査同期信号とONタイミングを出力開始し（Ｓ１０９）、原稿の搬送開始に先立ってＳ１０９で出力開始したカラーの３００ｄｐｉ用の主走査同期信号とONタイミングにて白色板１６を読み取るシェーディング補正のための読み取りを行うとともに画素ごとの補正値を求める（Ｓ１１０）。続いてカラーの３００ｄｐｉ用の速度で原稿搬送するよう原稿搬送モータ６を適切な速度で動作させる（Ｓ１１１）。
【００３８】
そして原稿が画像読み取り部５を通過する際にシェーディング補正のための読み取り時と同様にＳ１０９で出力開始したカラーの３００ｄｐｉ用の主走査同期信号とONタイミングにて原稿画像の読み取りを行うとともにＳ１１０で求めた補正値で補正する（Ｓ１１２）。Ｓ１１３に進んだ場合は、それぞれ設定された読み取りモードに適した原稿読み取りの処理を行う（Ｓ１１３）。Ｓ１０８、Ｓ１１２，Ｓ１１３にて原稿読み取りが終わると次に原稿搬送モータ６を停止して原稿搬送を終了する（Ｓ１１４）。
【００３９】
そして主走査同期信号とONタイミングを出力停止する（Ｓ１１５）。その後、最初で説明したＳ１０２に戻り一連の処理が繰り返される。
【００４０】
［実施例2］
図１０はブロック図で実施例１の図１との違いを説明する。実施例１の３．３Ｖｄ電源を出力するＤＣＤＣ電源３がＡＣＤＣ電源３０に置き換わっていて、３．３Ｖａ電源を出力するＤＣＤＣ電源４がＡＣＤＣ電源３１に置き換わっている。ＤＣＤＣ電源３とＤＣＤＣ電源４が直流電圧の２４Ｖ電源を入力としているのに対して、ＡＣＤＣ電源３０とＡＣＤＣ電源３１は交流電圧のＡＣ１００Ｖの電源を入力としている。つまり入力が直流であっても交流であっても同容に本発明を適用することができる。その他の部分はなんら実施例１と変わらない。
【００４１】
［実施例3］
図１１はブロック図で実施例１の図１との違いを説明する。実施例１の３．３Ｖｄ電源を出力するＤＣＤＣ電源３がＤＣＤＣ電源３３に置き換わっている。また制御部１が制御部３２に置き換わっている。ＤＣＤＣ電源３３は２４Ｖ電源を入力として３．３Ｖｄ電源を出力することはＤＣＤＣ電源３と変わらないが、実施例１にて説明した他励動作と自励動作の切り替えができるように制御部３２から出力する自励／他励切り替え信号がＤＣＤＣ電源３３に接続されている。
【００４２】
また他励動作のときは制御部３２が出力するＯＮタイミング信号によりＤＣＤＣ電源４と同様にその図示しないＤＣＤＣ電源４の内部のスイッチングをＯＮタイミング信号に同期させる。そして自励動作のときは制御部３２が出力するＯＮタイミング信号によらず、実施例１のＤＣＤＣ電源３と同様にＤＣＤＣ電源４の内部でスイッチングを決めて動作する。他励動作は画像読み取りの時に行うし、自励動作は画像読み取りをしてないときに行う。その様子は図１２のフローで説明する。
【００４３】
それにより画像読み取り部５に電源を供してないＤＣＤＣ電源４の出力する３．３Ｖｄ電源の電圧のリップルの高低のタイミングも３．３Ｖａ電源の電圧のリップルの高低のタイミングと同様に１主走査の中で同じ高低のタイミングになる。図示しない３．３Ｖｄ電源の配線と３．３Ｖａ電源の配線が接近してクロストークにより影響しあうので３．３Ｖｄ電源の変動も３．３Ｖａ電源の変動ほどではないが画像読み取りに影響する。そのため３．３Ｖｄ電源の電圧リップル高低のタイミングも制御することでより原稿読み取りの画質が良くなる。
【００４４】
図１２は制御部３２の処理順序を示したフロー図である。実施例１の図との違いを説明する。違う部分は破線で示した部分である。まずＳ１０５、Ｓ１０９で主走査同期信号とＯＮタイミング信号を出力開始した後に自励／他励切り替え信号によりＤＣＤＣ電源３３を自励動作から他励動作に切り替える（Ｓ２０１、Ｓ２０２）、またＳ２０４の他の読み取りモードの処理においてもＤＣＤＣ電源３３を自励動作から他励動作に切り替えている。そしてＳ１１４で原稿搬送終了がされるとＤＣＤＣ電源３３を他励動作から自励動作に切り替えている（Ｓ２０４）。
【符号の説明】
【００４５】
1  制御部、2  24V出力ＡＣＤＣ電源、3  3.3Vd出力ＤＣＤＣ電源、
4  3.3Va出力ＤＣＤＣ電源、5  画像読み取り部
【図６】
2017005318.tif 000003
【図８】
2017005318.tif 000004
【図１】
2017005318.tif 000005
【図２】
2017005318.tif 000006
【図３】
2017005318.tif 000007
【図４】
2017005318.tif 000008
【図５】
2017005318.tif 000009
【図７】
2017005318.tif 000010
【図９】
2017005318.tif 000011
【図１０】
2017005318.tif 000012
【図１１】
2017005318.tif 000013
【図１２】
2017005318.tif 000014